(57)【特許請求の範囲】
【請求項１】
両面記録再生可能な光ディスクを格納可能な光ディスクカートリッジであって、
光ディスクドライブに対する挿入方向に平行で且つ前記カートリッジを二分する前記カートリッジの中心線に対して実質的に軸対称な形状の本体と、
前記本体の一部の開口であり、且つ前記中心線に対して実質的に軸対称であって、前記本体に格納される光ディスクの両記録面へのアクセスを可能にする開口部と、
一つの閉塞位置と一つの開放位置との間を移動自在に設けられ、前記閉塞位置に付勢された状態で前記開口部を閉塞し、前記閉塞位置から前記開放位置へ移動された状態で前記開口部を開放するシャッタと、
前記シャッタが前記閉塞位置に付勢された状態のとき前記中心線から両端部までの長さが異なる突起であって、前記中心線からの距離が遠い方の一方の端部が前記中心線を越えることにより前記シャッタが前記閉塞位置から前記開放位置へ向かって移動するように前記シャッタに対して一体形成された突起部と、
を備えたことを特徴とする光ディスクカートリッジ。
【請求項２】
前記シャッタが前記閉塞位置に付勢された状態のとき前記中心線から一方の端部までの長さより、前記中心線から他方の端部までの長さが短くなるように形成された前記突起部は、前記シャッタの移動方向を示すように機能することを特徴とする請求項１に記載の光ディスクカートリッジ。
【請求項３】
光ディスクカートリッジを受け取り、前記光ディスクカートリッジのシャッタの移動方向に対して直交する方向に沿って、前記光ディスクカートリッジを搬送する搬送手段と、
前記光ディスクカートリッジのシャッタの移動可能方向を検知する検知手段と、
前記検知手段による検知結果に基づき前記シャッタに一体形成された突起部の両端のうちの一方の端部を選択し、前記搬送手段による前記光ディスクカートリッジの搬送に対応して前記検知手段により検知された前記シャッタの移動可能方向に向けて選択された端部を押して前記シャッタを開放する開放手段と、
を備えたことを特徴とする光ディスクカートリッジのシャッタ開閉装置。
【請求項４】
前記検知手段は、前記シャッタに一体形成された突起部の一方の端部が、前記搬送手段に対して第１の位置及び第２の位置のどちらに位置するかを検知する検知部材を備え、この検知部材による検知結果に基づき前記シャッタの移動可能方向を検知する、ことを特徴とする請求項３に記載の光ディスクカートリッジのシャッタ開閉装置。
【請求項５】
前記開放手段は、
前記シャッタの移動可能方向に対して平行する第１の方向及びこの第１の方向と逆の第２の方向に沿って移動自在に設けられた部材であって、前記シャッタの突起部の両端のうち少なくとも一方の端部に係合するシャッタ開閉部材と、
前記検知部材による検知結果に基づき、前記搬送手段による前記光ディスクカートリッジの搬送に対応して前記検知部材を異なる二方向のうちどちらか一方向へガイドする第１のガイド部材と、
前記第１のガイド部材による前記検知部材のガイドに対応して、前記シャッタ開閉部材を前記第１及び第２の方向のどちらか一方向にガイドする第２のガイド部材と、
を備えたことを特徴とする請求項４に記載の光ディスクカートリッジのシャッタ開閉装置。
【請求項６】
前記検知部材は、前記シャッタ開閉部材に対して所定の範囲で回転自在に設けられ、且つ前記シャッタに一体形成された突起部の位置に応じて回転し、回転位置に応じて前記第１のガイド部材に沿って異なる二方向のうちどちらか一方向にガイドされるように構成されたことを特徴とする請求項５に記載の光ディスクカートリッジのシャッタ開閉装置。
【発明の詳細な説明】
【０００１】
【発明の属する技術分野】
この発明は、両面記録可能な光ディスクを格納可能するとともに、格納される光ディスクの両記録面に対してアクセス可能に形成された光ディスクカートリッジに関する。また、この発明は、このような光ディスクカートリッジのシャッタを開放するシャッタ開閉装置に関する。
【０００２】
【従来の技術】
ＤＶＤ−ＲＡＭには、両面記録可能な両面タイプがある。一般的に、ＤＶＤ−ＲＡＭは、カートリッジに収容され利用される。カートリッジには、ＤＶＤ−ＲＡＭの両記録面に対してアクセスを可能にする開口部が設けられている。さらに、カートリッジには、この開口部を閉塞したり開放したりするシャッタが設けられている。このシャッタは、カートリッジに対して左右どちらの方向にもスライドする両開きシャッタである。
【０００３】
一方向からのみＤＶＤ−ＲＡＭの記録面にアクセス可能な光ディスクドライブは、上記したカートリッジを受け取ると、常にシャッタを一方向にスライドさせて、カートリッジに収容されているＤＶＤ−ＲＡＭの記録面（第１面）にアクセスすることができる。さらに、カートリッジの表裏が反転されると、同様にシャッタを一方向にスライドさせて、カートリッジに収容されているＤＶＤ−ＲＡＭの記録面（第２面）にアクセスすることができる。即ち、両開きシャッタのカートリッジを採用することにより、光ディスクドライブのシャッタ開閉機構を単純化することができる。
【０００４】
ところが、大量生産されるカートリッジのシャッタ開閉機構を単純化したいという要望もあり、片開きシャッタのカートリッジも各種提案されている（特許文献１）。片開きシャッタのカートリッジは、両開きシャッタのカートリッジに比べて、シャッタの移動用のスペースを小さくできる。このため、片開きシャッタのカートリッジは、両開きシャッタのカートリッジに比べて、ラベル等を貼る面積を大きくとることができる。
【０００５】
【特許文献１】
米国特許第５，４９５，４６７号
【０００６】
【発明が解決しようとする課題】
上記したように、従来の両開きシャッタのカートリッジに加えて、片開きシャッタのカートリッジに対する要望も大きく、その結果、市場には、両開きシャッタのカートリッジと片開きシャッタのカートリッジが出回ることが予想される。
【０００７】
しかしながら、従来の両開きシャッタのカートリッジと、特許文献１に記載の片開きシャッタのカートリッジには互換性がなく、同じ光ディスクドライブで取り扱えないという問題があった。
【０００８】
この発明の目的は、上記したような事情に鑑み成されたものであって、両開きシャッタの光ディスクカートリッジと互換性を持ち、両面記録タイプのディスクに対応可能な片開きシャッタの光ディスクカートリッジを提供することにある。また、この発明の目的は、このような片開きシャッタの光ディスクカートリッジ及び両開きシャッタの光ディスクカートリッジの両方に対応可能な光ディスクカートリッジのシャッタ開閉装置を提供することにある。
【０００９】
【課題を解決するための手段】
上記課題を解決し目的を達成するために、この発明の光ディスクカートリッジ及び光ディスクカートリッジのシャッタ開閉装置は、以下のように構成されている。
【００１０】
（１）この発明の光ディスクカートリッジ（１０）は、両面処理可能な光ディスクを格納可能な光ディスクカートリッジであって、光ディスクドライブに対する挿入方向（図１の挿入方向Ａ）に平行で且つ前記カートリッジを二分する前記カートリッジの中心線（図１の中心線Ｃ）に対して実質的に軸対称な形状の本体（１２）と、前記本体の一部の開口であり、且つ前記中心線に対して実質的に軸対称であって、前記本体に格納される光ディスクの両記録面に対してアクセスを可能にする開口部（１６）と、閉塞位置から開放位置へ一方向に移動自在に設けられ、前記閉塞位置に留まることにより前記開口部を閉塞し、前記閉塞位置から前記開放位置へ移動することにより前記開口部を開放するシャッタ（２２）と、前記シャッタが前記閉塞位置に付勢された状態のとき前記中心線から両端部（２３ａ、２３ｂ）までの長さが異なる突起であって、前記中心線からの距離が遠い方の一方の端部（２３ａ）が前記中心線を越えることにより前記シャッタが前記閉塞位置から前記開放位置へ向かって移動するように前記シャッタに対して一体形成された突起部（２４）と、を備えている。
【００１１】
（２）この発明の光ディスクカートリッジのシャッタ開閉装置は、光ディスクカートリッジ（１０）を受け取り、前記光ディスクカートリッジのシャッタ（２２）の移動方向（図１の移動方向Ｂ）に対して直交する方向（図１の挿入方向Ａ）に沿って、前記光ディスクカートリッジを搬送する搬送手段（３６）と、前記光ディスクカートリッジのシャッタの移動可能方向を検知する検知手段（８０）と、前記検知手段による検知結果に基づき前記シャッタに一体形成された突起部（２４）の両端のうちの一方の端部（係合面２３ａ）を選択し（非係合面２３ｂが選択されることはない）、前記搬送手段による前記光ディスクカートリッジの搬送に対応して前記検知手段により検知された前記シャッタの移動可能方向に向けて選択された端部を押して前記シャッタを開放する開放手段（５０、５２、７０ａ、７０ｂ、７０ｃなど）と、を備えている。
【００１２】
【発明の実施の形態】
以下、この発明の実施の形態について図面を参照して説明する。
【００１３】
まず、ディスクカートリッジについて説明する。図１および図２に示すように、ディスクカートリッジ１０は、ディスク状の記録媒体として、光ディスク１４を収納した偏平な矩形状のケース１２を備えている。カートリッジ本体として機能するケース１２は、ほぼ同一構造を有する一対のハーフケース１３ａ、１３ｂを接合することにより形成されている。
【００１４】
ケース１２の上壁、つまりハーフケース１３ａの主壁１１ａを第１面と定義し、ケース１２の下壁、つまりハーフケース１３の主壁１１ｂを第２面と定義する。すると、図１は、第２面を上面から見たディスクカートリッジ１２の斜視図であり、図２は、第１面を上面から見たディスクカートリッジ１２の斜視図である。
【００１５】
また、ケース１２は、後述する光ディスク駆動装置に対するディスクカートリッジ１０の挿入方向Ａに平行で且つディスクカートリッジ１０を二分するディスクカートリッジ１０の中心線Ｃに対して実質的に対称（軸対称）である。但し、後述する突起２４は、中心線Ｃに対して非対称である。
【００１６】
光ディスク１４の表面と対向しているケース１２の上壁および下壁、つまり、ハーフケース１３ａ、１３ｂの主壁１１ａ、１１ｂには、光ディスク１４の記録面へアクセスを可能にする窓部１６がそれぞれ形成され、互いに対向している。言い換えると、窓部１６は、ケース１２の一部の開口である。光ディスク１４が両面記録再生可能なタイプ又は両面再生のみ可能なタイプであれば、この窓部１６により両面へのアクセスが可能となる。各窓部１６は、それぞれケース１２のほぼ中央から挿入方向Ａに向かって、ケース１２の前端面１２ａ近傍まで延びている。
【００１７】
ケース１２内に収納された光ディスク１４の中心部には、中心孔１９および中心孔の周囲に位置したクランプ領域１８が設けられている。そして、中心孔１９、クランプ領域１８、および光ディスク１４の両面の一部は、窓部１６を通して露出している。
【００１８】
ケース１２には、窓部１６を開閉する両面一体型のシャッタ２２が摺動自在に取り付けられている。シャッタ２２は、それぞれ窓部１６を開閉する一対の矩形状の遮蔽板２２ａと、これら遮蔽板の前端同志を連結しているとともにケース前端面１２ａと対向した連結板２２ｂと、を有し、断面Ｕ字形状に形成されている。
【００１９】
そして、シャッタ２２は、ケース１２の前端面１２ａ側からケース１２の両表面側を挟むようにして取り付けられている。また、連結板２２ｂには突起２４が形成され、さらにシャッタ２２を開閉するための係合面２３ａが形成されている。言い換えると、突起２４は、シャッタ２２に対して一体形成されている。突起２４の両端部のうちの一方の端部が、係合面２３ａである。突起部２４の両端部のうち他方の端部は、非係合面２３ｂである。
【００２０】
シャッタ２２は、図１に示すように、窓部１６を閉塞する閉塞位置と、図２に示す窓部１６を開放する開放位置と、の間をケース１２の前端面１２ａと平行な方向、つまり、ディスクカートリッジ１０の挿入方向Ａと直交する開閉方向Ｂに沿って摺動可能となっている。シャッタ２２は、ケース１２内で窓部１６の片側に配設された図示しないシャッタばねにより常時閉塞位置に向かって付勢されている。つまり、シャッタ２２は、閉塞位置に付勢されることにより窓部１６を閉塞し、閉塞位置から開放位置へ移動されることにより窓部１６を開放する。
【００２１】
シャッタ２２が閉塞位置に留まっている状態において、中心線Ｃから突起２４の両端部までの長さは、均等ではない。中心線から一方の端部までの距離は長く、他方の端部までの距離は短い。即ち、中心線から係合面２３ａまでの距離は長く、非係合面２３ｂまでの距離は短い。即ち、係合面２３ａは、中心線Ｃから見て、シャッタ２２が開放する方向の反対方向に設けられている。係合面２３ａが、中心線Ｃを越えることにより、シャッタ２２は閉塞位置から開放位置へ向かって移動する。このように、中心線Ｃから係合面２３ａまでの長さより、中心線Ｃから非係合面２３ｂまでの長さが短くなるように突起２４を形成することにより、この突起２４がシャッタ２２の移動方向を示すように機能する。
【００２２】
ハーフケース１３ａ、１３ｂの表面の内、シャッタ２２の遮蔽板２２ａが摺動する領域は、浅い矩形状の凹所１５として形成され、窓部１６もこの凹所内に形成されている。また、ハーフケース１３ａ、１３ｂは、凹所１５の後端部から窓部１６の近傍まで挿入方向Ａに突出した抜け止め用の突部１７を有し、この突部１７は、遮蔽板２２ａの自由端部と係合して遮蔽板を凹所１５内に保持している。
【００２３】
各ハーフケース１３ａ、１３ｂの主壁１１ａ、１１ｂの後端部中央、後端面中央部には、ラベル貼付部６ａが連続して形成され、主壁１１ａ、１１ｂの窓部１６の脇の凹所１５の反対側にもラベル貼付部６ｂが形成されている。ケース１２の両側壁１２ｂ、１２ｃの後端部には、光ディスク駆動装置のトレイに対してディスクカートリッジ１０を位置決めするためのスロット２６がそれぞれ形成されているとともに、両側壁１２ｂ、１２ｃの前端部には、光ディスクドライブ側のローディング機構を引っ掛けるための凹所２７がそれぞれ形成されている。その他、ハーフケース１３ａ、１３ｂには、種々の検出用の透孔が形成されている。
【００２４】
次に、光ディスクカートリッジのシャッタ開放機構を備えた光ディスク駆動装置について説明する。この光ディスク駆動装置は、上述したディスクカートリッジ１０を受け入れて、シャッタをスライドさせて、カートリッジ１０に収容されている光ディスク１４の記録面にアクセスし、情報の読み出しあるいは情報の書き込みを行う。
【００２５】
図３に示すように、光ディスク駆動装置はほぼ矩形状の筐体３０を備え、筐体の前面開口にはベゼル３２が嵌合され前壁を構成している。このベゼル３２には、筐体３０内に対してディスクカートリッジ１０を出し入れするための細長い矩形状の挿通口３４が形成されている。
【００２６】
また、光ディスク駆動装置は、ディスクカートリッジ１０を筐体３０内に対して装填および取出しするためのディスクトレイ３６を備えている。ディスクトレイ３６は、ディスクカートリッジ１０を収納するための凹所からなる装填部３８を形成している。この装填部３８は、ディスクカートリッジ１０とほぼ等しい幅を有す矩形状に形成されている。また、前面パネル４４にはディスクトレイ３６を引き出しおよび引き込みするための開閉スイッチ４１が設けられているとともに、ディスクトレイ３６の底壁には、装填部３８に開口したアクセス開口３９が形成されている。
【００２７】
ディスクトレイ３６は、筐体３０内に設けられた図示しないガイド機構およびトレイ駆動機構により、挿通口３４を通して、図３に示す筐体から引き出された引き出し位置と、筐体内に引き込まれた後述の引き込み位置との間を移動方向Ａに沿って移動可能となっている。即ち、ディスクトレイ３６は、移動方向Ａに沿って、ディスクカートリッジ１０を搬送する。
【００２８】
挿通口３４には、挿通口カバー４４が開閉自在に取り付けられ、図示しないばねにより、閉塞方向に付勢されており、ディスクトレイ３６によって押されることにより開く。
【００２９】
そして、ディスクトレイ３６を筐体３０から所定の引き出し位置まで引き出すことにより、装填部３８が露出し、装填部３８に対してディスクカートリッジ１０の脱着が可能となる。また、ディスクトレイ３６を筐体３０内の所定の引き込み位置まで移動させることにより、ディスクカートリッジ１０が筐体３０内に装填され、光ディスク１４の記録面に対する情報の読み出し、書き込みが可能となる。この際、ディスクカートリッジ１０は、その挿入方向Ａがディスクトレイ３６の移動方向Ａと一致した状態でディスクトレイの装填部３８に装填される。
【００３０】
図４および図５に示すように、ディスクトレイ３６の挿入方向Ａの先端部には、装填されたディスクカートリッジ１０の先端部を保持するブッリジ状のカートリッジ保持部材４８が設けられ、ディスクトレイ３６の幅方向に沿って延びている。また、ディスクトレイ３６の挿入方向Ａの先端部には、シャッタ開閉機構５０の一部を構成するシャタ開閉部材５２が設けられている。このシャッタ開閉部材５２は細長い矩形状に形成され、その長手方向がディスクトレイ３６の移動方向Ａと直行する方向、すなわち、シャッタ２２の開閉方向Ｂと一致するように設けられている。ディスクトレイ３６の底壁先端部には、開閉方向Ｂと平行に延びたガイドレール５４およびガイド溝５６が一体に形成されている。そして、シャッタ開閉部材５２は、ガイドレール５４およびガイド溝５６により開閉方向Ｂに沿ってガイドされ、図示の閉塞位置と、この閉塞位置を挟んでＢ方向の両側に２箇所ある開放位置との間を移動自在に設けている。
【００３１】
なお、ディスクカートリッジ１０は片開きのシャッタ２２を備えたものであり、シャッタ２２の閉塞位置は１箇所で、開放位置も１箇所である。光ディスクドライブ側の開放位置が２箇所あるのは、ディスクカートリッジ１０の表裏に関係なく、ディスクカートリッジ１０のシャッタ２２を開放できるように、シャッタ開閉機構５０が二方向へ移動するためである。
【００３２】
また、シャッタ閉塞部材は、閉塞位置に留まるように図示しないばねによって付勢されている。シャッタ開閉部材５２の閉塞位置は、ディスクトレイ３６の幅方向ほぼ中央部に設定されている。
【００３３】
シャッタ開閉部材５２は、ディスクトレイ３６に装填されたディスクカートリッジ１０に向かって突出した２つの押圧爪５８ａ、５８ｂを一体に備えている。
【００３４】
シャッタ開閉部材５２には、レバー軸８４が設けられ、開閉方向切り替えレバー８０にも受けられた軸穴８２と回転自在に勘合している。開閉方向切り替えレバーにはさらにローラ軸８１が設けられ、ガイドローラ６２が回転自在に勘合している。開閉方向切り替えレバーは、図示しないばねによって、レバー軸まわりに、上面からみて時計まわりに付勢されており、開閉方向切り替えレバーが、シャッタ開閉部材５２に設けたストッパ８５によって回転範囲が規制され、なんら外力が作用しない場合の位置が設定されている。
【００３５】
ディスクカートリッジ１０をディスクトレイ３６に装填すると、装填方向により、ディスクカートリッジ１０の２つの押圧爪５８ａ、５８ｂのいずれかが、シャッタ２２の先端部に設けられた係合面２３ａに係合する。一方、図３、図４、図５に示すように、ディスクカートリッジ１０のシャッタ２２を開閉するためのシャッタ開閉機構５０は、ディスクトレイ３６の移動に応じてシャッタ開閉部材５２を移動させるガイドレール７０ａ、７０ｂ、７０ｃを備え、このガイドレール７０ａ、７０ｂ、７０ｃは筐体３０の天壁３０ａの内面に固定されている。また、駆動部材として機能するガイドレール７０は、天壁に対して垂直に延びているとともに、開閉方向切り替えレバー８０のローラ軸８１に回転自在に勘合したガイドローラ６２をガイドするガイド面７２ａ、７２ｂ、７２ｃ、７２ｄを有している。ガイド面７２ａ、７２ｂ、７２ｃ、７２ｄは、筐体３０の幅方向ほぼ中央部から図３において筐体の左側壁に向かって斜めに延びた、すなわち、ディスクトレイ３６の移動方向Ａと交差する方向に延びた第１ガイド面７２ａと、右側壁に向かって斜めに延びた第２ガイド面７２ｂ、第１ガイド面および第２ガイド面に続いて側壁とほぼ平行に延びた第３ガイド面７２ｃ、第４ガイド面７２ｄと、を有している。
【００３６】
図４に示すように、筐体３０内には、ディスクカートリッジ１０に収納されている光ディスク１４の中心孔１９と係合するクランパ７４が設けられている。また、筐体１０内の底部には光ディスク１４の図示しない駆動系が設けられている。この駆動系は、ディスクカートリッジ１０内の光ディスク１４を支持および回転駆動するターンテーブル、光ディスクに対して情報の読み出しおよび書き込みを行う図示しない光ヘッド等を備えている。
【００３７】
上記構成の光ディスク駆動装置において、ディスクカートリッジ１０を装填する場合、図３に示すように、開閉スイッチ４１を押してディスクトレイ３６を筐体３０から所定の引き出し位置まで引き出し、装填部３８を露出させる。この状態で、装填部３８に対してディスクカートリッジ１０を装填する。
【００３８】
ディスクトレイ３６を引き出した状態において、シャッタ開閉機構５０のシャッタ開閉部材５２は、図示しないばねにより付勢され閉塞位置に保持されている。そして、ディスクカートリッジ１０をその挿入方向Ａがディスクトレイ３６の移動方向Ａと一致するように、かつ、カートリッジの前端面が筐体３０側となるようにディスクトレイの装填部３８に装填する。これにより、ディスクカートリッジ１０はディスクトレイ３６内に保持され、シャッタ２２の係合面２３ａは、ディスクカートリッジ１０の装填方向により、シャッタ開閉部材５２の２つの押圧爪５８ａ、５８ｂのいずれかと隣接対向して位置する。
【００３９】
ここで、光ディスク１４の両記録面のうちサイド１の記録面に対するアクセスについて説明する。即ち、主壁１１ａが上側になるようにディスクカートリッジ１０を装填した場合のシャッタの開閉動作について説明する。この場合のディスクトレイ３６が引き出し位置にあるのが図６で、引き込み位置にあるのが図７である。
【００４０】
まず、ディスクトレイ３６にディスクカートリッジ１０を装填する時に、開閉方向切り替えレバー８０に設けた突起８３が、突起２４の係合面２３ａの近傍によって、ばねの付勢力に抗して押されて反時計回りに回転する。よって、ガイドローラ６２の位置が、筐体３０の幅方向ほぼ中央部に対して右側から左側に移動する。
【００４１】
この状態で開閉スイッチ４１を押すと図示しないトレイ駆動機構が作動し、ディスクトレイ３６は、移動方向Ａに沿って図示の引き出し位置から図７に示す引き込み位置に移動される。ディスクトレイ３６が引き込み位置に向かって移動すると、シャッタ開閉部材５２のガイドローラ６２はガイドレール７０ａの第１ガイド面７２ａに当接する。この力により、開閉方向切り替えレバー８０はさらに半時計まわりに回転するが、シャッタ開閉部材５２に設けたストッパ８６に接することによって、回転範囲が規制されている。さらに、ディスクトレイ３６が引き込み方向に移動すると、ガイドローラ６２の当接位置は、ディスクトレイの移動に応じて第１ガイド面７２ａおよび第３ガイド面７２ｃに沿って移動する。つまり、開閉方向切り替えレバー８０は、第１ガイド面７２ａおよび第３ガイド面７２ｃにガイドされ、Ｄ１方向に沿って移動する。
【００４２】
それにより、シャッタ開閉部材５２は、挿入方向Ａと反対方向の力、および開閉方向Ｂの力を受ける。従って、シャッタ開閉部材５２は、ばねの付勢力に抗し、開閉方向Ｂの左側方向に沿って開放位置まで移動される。つまり、シャッタ開閉部材５２は、ガイドレール５４およびガイド溝５６にガイドされ、Ｅ１方向に沿って移動する。シャッタ開閉部材５２が開放位置まで移動した時点で、ガイドローラ６２はガイドレール７０ｃの第４ガイド面７２ｄに当接し、以後、ディスクトレイ３６が引き込み位置に到達するまで、第４ガイド面７２ｄに沿って移動しシャッタ開閉部材５２を開放位置に保持する。
【００４３】
また、図７に示すように、シャッタ開閉部材５２が閉塞位置から開放位置へ移動すると、ディスクカートリッジ１０のシャッタ２２は押圧爪５８ｂに押圧される。即ち、シャッタ２２に一体形成された突起２４の係合面２３ａは押圧爪５８ｂに押圧され、シャッタ開閉部材と連動して閉塞位置から開放位置に移動した後、開放位置に保持される。これにより、ディスクカートリッジ１０の窓部１６が開放し、光ディスク１４のサイド１の記録面へのアクセスが可能となる。このようにして、ディスクトレイ３６が引き出し位置から引き込み位置へ移動するまでの間、ディスクトレイの移動に連動して、ディスクカートリッジ１０のシャッタ２２が開放される。
【００４４】
ディスクトレイ３６が引き込み位置まで移動すると、クランパ７４がディスクカートリッジ１０の窓部１６を通して光ディスク１４の中心孔１９に対向する。同時に、駆動系の昇降機構が駆動され、ターンテーブルがディスクトレイ３６のアクセス開口３９およびディスクカートリッジ１０の窓部１６を通って上昇し、光ディスク１４を支持するとともにクランパ７４に押し付ける。これにより、光ディスク１４はディスクカートリッジ１０のケース内面から離間した状態に支持され、回転駆動が可能となる。そして、この状態で、ターンテーブルを駆動して光ディスク１４を回転させるとともに、図示しない光ヘッドにより光ディスクに対する情報の読み出しあるいは書き込みを行う。
【００４５】
一方、光ディスク駆動装置からディスクカートリッジ１０を取り出す場合には、ディスクトレイ３６の開閉スイッチ４１を押す。すると、ターンテーブル７８およびクランパ７４が初期位置に復帰した後、図示しないトレイ駆動機構が作動し、ディスクトレイ３６が引き込み位置から引き出し位置に移動される。
【００４６】
ディスクトレイ３６の移動に伴い、シャッタ開閉部材５２のガイドローラ６２はガイドレール７０の第３ガイド面７２ｃおよび第１ガイド面７２ａに沿って移動する。そして、シャッタ開閉部材５２は、ばねの付勢力により、開放位置から閉塞位置に移動され、閉塞位置に保持される。同時に、ディスクカートリッジ１０のシャッタ２２は、シャッタ開閉部材５２に追従して、シャッタのばねの付勢力により開放位置から閉塞位置へ移動し、窓部１６を閉塞する。そして、ディスクトレイ３６が引き出し位置まで引き出されることにより、このディスクトレイからディスクカートリッジ１０を取り出すことができる。
【００４７】
ディスクカートリッジ１０を取り出すことによって、開閉方向切り替えレバー８０は、ストッパ８５に当接するまで回転する。
【００４８】
次に、光ディスク１４の両記録面のうちサイド２の記録面に対するアクセスについて説明する。即ち、主壁１１ｂが上側になるようにディスクカートリッジ１０を装填した場合のシャッタの開閉動作について説明する。この場合のディスクトレイ３６が引き出し位置にあるのが図８で、引き込み位置にあるのが図９である。
【００４９】
前述の向きと異なり、ディスクトレイ３６にディスクカートリッジ１０を装填する時に、開閉方向切り替えレバー８０に設けた突起８３は、シャッタ２２の突起２４に当接しない。よって、よって、ガイドローラ６２の位置は、筐体３０の幅方向ほぼ中央部に対して右側を維持したままとなる。
【００５０】
この状態で開閉スイッチ４１を押すと図示しないトレイ駆動機構が作動し、ディスクトレイ３６は、移動方向Ａに沿って図示の引き出し位置から図９に示す引き込み位置に移動される。ディスクトレイ３６が引き込み位置に向かって移動すると、シャッタ開閉部材５２のガイドローラ６２はガイドレール７０ａの第２ガイド面７２ｂに当接する。この力により、開閉方向切り替えレバー８０は時計まわりの力が加わるが、すでにストッパ８５に当接しているため、回転しない。さらに、ディスクトレイ３６が引き込み方向に移動すると、ガイドローラ６２の当接位置は、ディスクトレイの移動に応じて第２ガイド面７２ｂおよび第４ガイド面７２ｄに沿って移動する。つまり、開閉方向切り替えレバー８０は、第２ガイド面７２ｂおよび第４ガイド面７２ｄにガイドされ、Ｄ２方向に沿って移動する。
【００５１】
それにより、シャッタ開閉部材５２は、挿入方向Ａと反対方向の力、および開閉方向Ｂの力を受ける。従って、シャッタ開閉部材５２は、ばねの付勢力に抗し、開閉方向Ｂの右側方向に沿って開放位置まで移動される。つまり、シャッタ開閉部材５２は、ガイドレール５４およびガイド溝５６にガイドされ、Ｅ２方向に沿って移動する。シャッタ開閉部材５２が開放位置まで移動した時点で、ガイドローラ６２はガイドレール７０ｂの第３ガイド面７２ｃに当接し、以後、ディスクトレイ３６が引き込み位置に到達するまで、第２ガイド面７２ｃに沿って移動しシャッタ開閉部材５２を開放位置に保持する。
【００５２】
また、図９に示すように、シャッタ開閉部材５２が閉塞位置から開放位置へ移動すると、ディスクカートリッジ１０のシャッタ２２は押圧爪５８ａに押圧される。即ち、シャッタ２２に一体形成された突起２４の非係合面２３ｂは押圧爪５８ａに押圧され、シャッタ開閉部材と連動して閉塞位置から開放位置に移動した後、開放位置に保持される。これにより、ディスクカートリッジ１０の窓部１６が開放し、光ディスク１４のサイド２の記録面へのアクセスが可能となる。このようにして、ディスクトレイ３６が引き出し位置から引き込み位置へ移動するまでの間、ディスクトレイの移動に連動して、ディスクカートリッジ１０のシャッタ２２が開放される。
【００５３】
ディスクトレイ３６が引き込み位置まで移動すると、クランパ７４がディスクカートリッジ１０の窓部１６を通して光ディスク１４の中心孔１９に対向する。同時に、駆動系の昇降機構が駆動され、ターンテーブルがディスクトレイ３６のアクセス開口３９およびディスクカートリッジ１０の窓部１６を通って上昇し、光ディスク１４を支持するとともにクランパ７４に押し付ける。これにより、光ディスク１４はディスクカートリッジ１０のケース内面から離間した状態に支持され、回転駆動が可能となる。そして、この状態で、ターンテーブルを駆動して光ディスク１４を回転させるとともに、図示しない光ヘッドにより光ディスクに対する情報の読み出しあるいは書き込みを行う。
【００５４】
一方、光ディスク駆動装置からディスクカートリッジ１０を取り出す場合には、ディスクトレイ３６の開閉スイッチ４１を押す。すると、ターンテーブル７８およびクランパ７４が初期位置に復帰した後、図示しないトレイ駆動機構が作動し、ディスクトレイ３６が引き込み位置から引き出し位置に移動される。
【００５５】
ディスクトレイ３６の移動に伴い、シャッタ開閉部材５２のガイドローラ６２はガイドレール７０の第４ガイド面７２ｄおよび第２ガイド面７２ｂに沿って移動する。そして、シャッタ開閉部材５２は、ばねの付勢力により、開放位置から閉塞位置に移動され、閉塞位置に保持される。同時に、ディスクカートリッジ１０のシャッタ２２は、シャッタ開閉部材５２に追従して、シャッタのばねの付勢力により開放位置から閉塞位置へ移動し、窓部１６を閉塞する。そして、ディスクトレイ３６が引き出し位置まで引き出されることにより、このディスクトレイからディスクカートリッジ１０を取り出すことができる。
【００５６】
次に、この光ディスク駆動装置に、従来の両開きシャッタを備えたディスクカートリッジを装填した場合の開閉動作について図１０を用いて説明する。両開きシャッタを備えたディスクカートリッジ１１０は、シャッタ１２２の突起１２４の係合面が１２３ａ、１２３ｂの２つある。どちらの主壁を上に装填しても、前述の主壁１１ｂが上側になった場合と同じ動作をする。つまり、シャッタ１２２は常に装置の一方向側（Ｅ１方向側）に開く。
【００５７】
以下、この発明の作用効果についてまとめる。光ディスク駆動装置のシャッタ開閉機構５０は、シャッタ２２の開閉方向Ｂと平行な方向に沿って移動自在に設けられたシャッタ開閉部材５２、開閉方向切り替えレバー８０を備えている。開閉方向切り替えレバー８０は、シャッタ２２に一体形成された突起２４の一方の端部（係合面２３ａ）が、光ディスクカートリッジ１０に対して第１の位置（図６）及び第２の位置（図８）のどちらに位置するかを検知する。即ち、開閉方向切り替えレバー８０は、ディスクカートリッジ１０が表投入（図１）か裏投入（図２）かを検知する。つまり開閉方向切り替えレバー８０は、突起２４の一方の端部（係合面２３ａ）の位置を検知する。この位置の検知結果から、シャッタの移動可能方向が検知されることになる。
【００５８】
シャッタ開閉部材５２は、シャッタの移動可能方向の検知結果に基づき、シャッタ２２に一体形成された突起２４の両端のうちの一方の端部、即ち係合面２３ａを常に選択する。シャッタ開閉部材５２は、ディスクトレイ３６の移動を利用して、検知された移動可能方向に向けて選択された端部（係合面２３ａ）を押してシャッタ２２を開放する。そして、シャッタ２２の開放時、シャッタ開閉部材５２は、ディスクトレイ３６の移動方向に反力を受けるが、このシャッタ開閉部材５２はディスクトレイ３６上に設けられているため、シャッタ２２には上記反力が伝達されない。従って、シャッタ２２の開閉時、ディスクカートリッジ１０のシャッタ２２およびケース１２にはシャッタの開閉方向Ｂのみに力が作用する。その結果、シャッタ２２とケース１２との摩擦を低減し、摩擦粉等の発生を防止することができる。これにより、摩擦粉等に起因する記録再生時の誤動作を防止し、信頼性の高い光ディスク駆動装置を得ることができる。
【００５９】
また開閉方向切り替えレバー８０によって、ディスクカートリッジ１０のシャッタの開放方向を判別することができる。その結果、一方向にしかシャッタ２２が開かないディスクカートリッジ１０を扱えるようになる。さらに、両方向にシャッタが開くディスクカートリッジ１１０も使用可能である。即ち、両開きシャッタのディスクカートリッジ１１０と、片開きシャッタ２２のディスクカートリッジ１０の互換性を維持することができる。
【００６０】
ディスクカートリッジ１１０に対してシャッタの形状に工夫をするだけで、ディスクカートリッジ１０を得ることができる。しかもディスクカートリッジ１０のシャッタは片側にしかスライドしないため、ばねが１つでよい。しかも、シャッタ２２に特別な材料を使用する必要もない。これらのことから、両開きのディスクカートリッジに比べて、片開きのディスクカートリッジ１０は、製造コストを低減できる。さらに、両開きのディスクカートリッジのシャッタ移動用のスペースに比べて、ディスクカートリッジ１０のシャッタの移動用のスペースは小さくて済む。このため、ディスクカートリッジ１０は、両開きのディスクカートリッジよりも、ラベル貼り付けスペースを大きく取れ、利便性の点でも優れる。
【００６１】
更に、シャッタ開閉機構５０は、ディスクトレイ３６の移動力を利用してシャッタを開放することから、特別な駆動機構を設ける必要がなく、構造の簡素化および製造コストの低減を図ることができる。
【００６２】
なお、この発明のディスクカートリッジは、上記したように記録再生可能なディスクにも利用できるし、再生専用ディスクにも利用できる。
【００６３】
なお、この発明は上述した実施の形態に限定されることなく、この発明の範囲内で種々変形可能である。例えば、上述した実施の形態においては、シャッタ開閉部材を移動させる駆動部材としてガイドレールを用いたが、回動自在に設けられた開閉アーム等を用いてもよい。ディスクトレイは、引き出し位置から押し込み位置まで手動で移動する構成としてよく、また、ディスクトレイ、シャッタ開閉部材の形状、構造等は必要に応じて種々変形可能である。また、左右反対に部品を配置して、たとえば従来のディスクカートリッジが装填されたとき、常にシャッタが右側に開くようにしてもよい。
【００６４】
【発明の効果】
この発明によれば、両開きシャッタの光ディスクカートリッジと互換性を持ち、両面記録タイプのディスクに対応可能な片開きシャッタの光ディスクカートリッジを提供できる。また、この発明によれば、このような片開きシャッタの光ディスクカートリッジ及び両開きシャッタの光ディスクカートリッジの両方に対応可能な光ディスクカートリッジのシャッタ開閉装置を提供できる。
【図面の簡単な説明】
【図１】ディスクカートリッジの第１面を上面から見た斜視図であり、且つシャッタが閉塞位置で保留された状態の一例を示す図である。
【図２】ディスクカートリッジの第２面を上面から見た斜視図であり、且つシャッタが開放位置で保留された状態の一例を示す図である。
【図３】ディスクトレイが引き出された状態の光ディスク駆動装置の一例を示す図である。
【図４】光ディスク駆動装置のシャッタ開閉機構の周辺を示す斜視図である。
【図５】シャッタ開閉機構を部分的に分解した状態を示す斜視図である。
【図６】ディスクカートリッジの第１面を上にして、ディスクトレイが引き出された状態の光ディスク駆動装置に装填された状態を示す平面図である。
【図７】ディスクカートリッジの第１面を上にして装填し、ディスクトレイが筺体内に引き込まれた状態の光ディスク駆動装置を示す平面図である。
【図８】ディスクカートリッジの第２面を上にして、ディスクトレイが引き出された状態の光ディスク駆動装置に装填された状態を示す平面図である。
【図９】ディスクカートリッジの第２面を上にして装填し、ディスクトレイが筺体内に引き込まれた状態の光ディスク駆動装置を示す平面図である。
【図１０】両開きのディスクカートリッジを、ディスクトレイが引き出された状態の光ディスク駆動装置に装填した状態を示す平面図である。
【符号の説明】
１０…ディスクカートリッジ
１２…ケース
１３ａ、１３ｂ…ハーフケース
１４…光ディスク
１６…窓部
１８…クランプ領域
１９…中心孔
２２…シャッタ
２３ａ…係合面
２３ｂ…非係合面
２４…突起
３０…筐体
３４…挿通口
３６…ディスクトレイ
３８…装填部
３９…アクセス開口
５０…シャッタ開閉機構
５２…シャッタ開閉部材
５４…ガイドレール
５６…ガイド溝
５８ａ、５８ｂ…押圧爪
６２…ガイドローラ
８０…開閉方向切り替えレバー
８１…ローラ軸
８２…軸穴
８４…レバー軸
８５…ストッパ
７０ａ、７０ｂ、７０ｃ…ガイドレール
【図１】
0003621698.tif 000002
【図２】
0003621698.tif 000003
【図３】
0003621698.tif 000004
【図４】
0003621698.tif 000005
【図５】
0003621698.tif 000006
【図６】
0003621698.tif 000007
【図７】
0003621698.tif 000008
【図８】
0003621698.tif 000009
【図９】
0003621698.tif 000010
【図１０】
0003621698.tif 000011